(57)【特許請求の範囲】
【請求項１】
地面（Ａ）に支柱（１）を立設し、該支柱（１）の上端部、あるいは上端部付近に、捕獲網（２）を係合、あるいは離脱させる係合フック装置（３）を設け、該捕獲網（２）の中心部を前記支柱（１）に挿通すると共に、地面（Ａ）より所定の高さに位置させるため、該係合フック装置（３）の係止片（３ａ）に、一端をそれぞれ係止した第一ロープ（４）を複数本、放射状方向に設け、それぞれの末端部を、捕獲網（２）に係止し、かつ、捕獲網（２）の周端部より、それぞれ放射状方向に、複数本の第二ロープ（６）を地面（Ａ）に、それぞれ杭（７）を介して固定して設け、捕獲網（２）の周端には、捕獲後に、該捕獲網（２）をきんちゃく袋状に閉めるようループ状にロープ（８）（８’）をそれぞれ二方向から設け、その先端を地面（Ａ）に杭（７）、杭（７’）を介してそれぞれ固定し、前記係合フック装置（３）の係止機構を外すワイヤー（９）に、捕獲網（２）内の害獣が触れることにより係合フック装置（３）の係止片（３ａ）が外れ、それぞれ第一ロープ（４）が外れて捕獲網（２）が落下し、害獣を絡め取ることを特徴とする害獣の捕獲具。
【請求項２】
捕獲網（２）は、堅牢な紐体であり、合成樹脂製、ロープ製、あるいは金属製の紐体の一つ、又はこれらの複合体を素材として編組され、該捕獲網（２）の編み目の形状が、円形状、多角形状、または矩形状のいずれから選ばれた形状であることを特徴とする特許請求の範囲第１項記載の害獣の捕獲具。
【発明の詳細な説明】
【０００１】
【発明の属する技術分野】
この発明は、害獣の捕獲具に関するものである。
【０００２】
【従来の技術】
従来、害獣、例えば、野山を徘徊する猪は、近年の山地の宅地等への開発により、その地を追われ、人里に出没し、畑の耕作物を食い荒らしたり、ゴルフ場のフェアウェイの芝生等を掘り返したりしており、その被害は甚大であり、また、補修作業も煩雑であった。
【０００３】
そのため、猪の捕獲手段として、捕獲装置を設置して捕獲しているが、金属製の大型檻であり、出没場所の地形によっては捕獲装置の設置場所に制限があり、また、装置には重量があり、搬送においても煩雑であり、また、組み立て式のものは、搬送には便利であるが、多数の部品を現場で組み立てなければならず、その作業も煩雑なものであり、しかも、製造コストも高いという欠点があった。
【０００４】
檻ワナは、子猪又は若い猪は捕獲できるが、警戒心の強い成獣やひね猪は捕獲しにくく、又、檻（ハコワナという）は下を１０ｃｍ位掘って設置し、下の鉄部分は土で埋め戻して隠すので、土色や地面が変わるので、なかなか檻に入らないため、何ヵ月も放置しておく必要があり、また、獲物を処理する際、もがいたり、暴れ廻るため、ロープを用いて取り押さえることも大変であるという欠点があった。
【０００５】
しかも、檻は、子供などが悪戯に入ると重い落下式のドアは大型のものは１００Ｋｇ位あり、極めて危険であり、怪我をする恐れすらある。
【０００６】
【発明が解決しようとする課題】
そこで、この発明は、これらの欠点を除去するために、発明されたものであり、箱型の檻でなく、害獣の警戒心を取り除くものであり、軽量で、搬送に便利であり、しかも、製造コストも安い、猪等の害獣の捕獲具を開発・提供するものである。
【０００７】
【課題を解決するための手段】
そこで、この発明は、従来の檻箱ではなく、地面に支柱を立設し、該支柱に中心部を挿入した堅牢な捕獲網を設け、支柱の上端付近に設けた係合フック装置に複数本のロープのそれぞれ一端部を係止し、それぞれ、ロープの他端は捕獲網の中心から、４方向（あるいは放射状方向）の角度位置に、ほぼ均等に係止し、さらに、該網を囲む地面の放射状方向の角度位置に、４本（あるいは複数本）の杭を介して固定したロープの他端を、それぞれ直接、あるいはスプリングを介してほぼ均等に捕獲網の周端に係止し、前記係合フック装置よりワイヤーの一端を固定し、他端を捕獲網内の地面に固定しておき、該ワイヤーに害獣が接触すると、係合フック装置が外れて、前記支柱にロープを介して張った捕獲網が落下し、該捕獲網で害獣を絡め捕る害獣の捕獲具である。
【０００８】
【発明の実施の形態】
次に、この発明の好適な一実施例を図に基づいて説明すると、地面（Ａ）に支柱（１）を立設し、該支柱（１）の上端部、あるいは上端部付近に、捕獲網（２）を係合、あるいは離脱させる係合フック装置（３）を設け、該捕獲網（２）の中心部を前記支柱（１）に挿通すると共に、地面（Ａ）より所定の高さに位置させるため、該係合フック装置（３）の係止片（３ａ）に、一端をそれぞれ係止した第一ロープ（４）を４本（あるいは、必要に応じて複数本）を、放射状方向に設け、それぞれの末端部を、フック（５）で捕獲網（２）に係止し、かつ、捕獲網（２）の周端部より、それぞれ放射状方向に、４本（あるいは必要に応じて複数本）の第二ロープ（６）を地面（Ａ）に、それぞれ杭（７）を介して固定して設け、捕獲網（２）の周端には、捕獲後に、該捕獲網（２）をきんちゃく袋状に閉めるようループ状にロープ（８）（８’）をそれぞれ二方向から設け、その先端を地面（Ａ）に杭（７’）を介して固定し、前記係合フック装置（３）の係止機構を外すワイヤー（９）に、捕獲網（２）内の害獣が触れることにより係合フック装置（３）の係止片（３ａ）が外れ、それぞれ第一ロープ（４）が外れて捕獲網（２）が落下し、害獣を絡め取ることを特徴とする害獣の捕獲具から構成される。
【０００９】
尚、支柱（１）は、長さ、１．５〜２．０ｍ程度のパイプ材から構成されており、下端には、支柱（１）と着脱自在の本体（１ａ）を設け、該本体には３本の脚部（１ｂ）を折り畳み可能に設け、かつ、これら脚部は本体（１ａ）を中心として１２０°毎に、三方向に拡がるよう構成され、それぞれの脚の先端下部にはスパイク（１ｃ）を設けており、スライドしないよう地面（Ａ）に堅牢に一時固定されるよう構成されるものである。
【００１０】
また、支柱（１）は、既存の立木を、地面より適度な高さでカットし、その上に設けて害獣の警戒心を解くよう構成してもよく、また、支柱（１）の下端は重さで埋まらないよう、石ころを置いてもよく、支柱（１）は４方向から引っ張っているため動かない。また、地面（Ａ）から１ｍくらいの自然木を利用し、支柱（１）の代わりに該自然木の上部にセットして使用すれば、害獣の警戒心を取り除く効果もある。
【００１１】
さらに、捕獲網（２）は、堅牢な紐体であり、合成樹脂製、ロープ製、あるいは金属製、これらの複合体を素材として編組された円形・多角形・矩形状の目開き、メッシュ、網体であり、例えば、猪等の鼻や足が入り込む程度の網目（約、１５ｃｍ角位）がよい。また、捕獲網（２）は周端からから３０ｃｍ程折り返して、捕獲後、捕獲網（２）をきんちゃく袋状に閉めやすくすると共に、その折り返した部分に設けたチェーン（２ａ）は地形の凹凸に対応すると共に、必ず、猪等の鼻を必ず網目に突っ込むようにするためである。チェーン（２ａ）の内側の網目に鼻を突っ込んだ猪は折り返し部分を、自分の足で踏みつけて自らの力で外へ向けて突進する力を殺し、きんちゃく状になった捕獲網（２）の網目に足を絡ませ身動きできなくなるように、堅牢に構成している。
【００１２】
また、係合フック装置（３）の一実施例を詳述すると、前記支柱（１）の上端、に差し込み固定するものであり、該装置本体は、下端に錘を有し、中心部に突出部を有する係止片（３ａ）を、上下方向に移動可能に設け、セット時には、該係止片（３ａ）を、装置本体の上方に突出して設けるよう係止片（３ａ）の下端部を、ひっかけ具（３ｂ）で支え、かつ、係止片（３ａ）に嵌挿されたドーナツ状の錘（３ｄ）を、スプリングで付勢されたレバー（３ｂ）の一端部で係止しておき、レバー（３ｂ）の他端部はワイヤー（９）を固定し、該ワイヤー（９）の他端部は、支柱の下端付近より放射状に３〜５本位に分岐させて、地面（Ａ）に杭にて固定し、害獣の足が引っかかり、ワイヤー（９）を引っ張るものである。
【００１３】
従って、付近を通る、あるいは近づいて来る害獣がワイヤー（９）に触れると、レバー（３ｂ）が作動し、前記ドーナツ状の錘（３ｄ）が落下し、係止片（３ａ）と共に、装置本体の底部まで落下することにより、突出していた係止片（３ａ）が装置本体内に沈んでしまい、この係止片（３ａ）に係止していた、４本あるいは複数本の第一ロープ（４）がそれぞれ一斉に係止を解除され、捕獲網（２）は地面（Ａ）に落下するものである。尚、この係合フック装置（３）は、一例を示したものであり、この構造のものに特定されるものではなく、他の構造であってもよい。
【００１４】
さらに、地面（Ａ）から、それぞれ杭（７）を介して固定する４本あるいは複数本の第二ロープ（６）は、スプリング（１０）を介して捕獲網（２）にそれぞれ係止することにより、捕獲網（２）を緊張して張ることができ、また、レバー（３ｂ）を引いた際、それぞれの第一ロープ（４）が係止片（３ａ）から外れた際、スプリング（１０）が収縮し、瞬時に捕獲網（２）を地面に落下させ、害獣を捕獲できる。
尚、ワイヤー（９）の近辺には、害獣の好みの餌等を散布しておけばよい。
【００１５】
そして、前記ひっかけ具（３ｃ）は、図４に示すように、線状であり、下端部をＬ字に折り曲げて、該箇所で下端部錘を有する係止片（３ａ）の下端を、本体の外部から差し込み、係止片（３ａ）の先端が、下方に下がらないよう、一時保持しておくものであり、該ひっかけ具（３ｃ）の上端部は、略Ｃ状に形成し、２個の穴を利用して係合フック装置（３）本体内に下方を差し込み、上端部を外部に突出させるものであり、レバー（３ｂ）がセットされると取り外すものである。また、前記ドーナツ状の錘（３ｄ）が、レバー（３ｂ）により外れると、落下し、ひっかけ具（３ｃ）が落下する際、略Ｃ状部を押すことにより下端部のＬ字に折り曲げた部分が外部方向に外れ、係止片（３ａ）と共に、ドーナツ状の錘（３ｄ）と一体に底部まで沈むものである。
【００１６】
【発明の効果】
この発明によると、地面（Ａ）に支柱（１）を立設し、該支柱（１）の上端部、あるいは上端部付近に、捕獲網（２）を係合、あるいは離脱させる係合フック装置（３）を設け、該捕獲網（２）の中心部を前記支柱（１）に挿通すると共に、地面（Ａ）より所定の高さにロープを用いて張設することにより、従来の、堅牢で、しかも重量もある檻箱に代えて、獣道やヌタ場（猪がドロ浴びする所）、急斜面等に、簡単・かつ迅速にセットでき、地面が相当傾斜した場所や草むら、デコボコの地面であっても設置が可能である。さらに、檻や柵等でなく、害獣の頭上（上部）に捕獲網（２）を設けるため、害獣の警戒心を取り除く効果もあり、更に、総重量も大人一人が運搬できる程度の重さであり、簡単に設置場所を変更することも可能である。
【００１７】
また、該係合フック装置（３）の係止片（３ａ）に、一端をそれぞれ係止した第一ロープ（４）を４本あるいは複数本、放射状方向に設け、それぞれの末端部を、捕獲網（２）に係止し、かつ、捕獲網（２）の周端部より、それぞれ放射状方向に、４本あるいは複数本の第二ロープ（６）を地面（Ａ）に、それぞれ杭（７）を介して固定して設けることにより、堅牢に緊張して捕獲網（２）を張ることが出来る。
【００１８】
さらに、捕獲網（２）の周端には、該捕獲網（２）が落下し、下の害獣を捕獲後に、該捕獲網（２）をきんちゃく袋状に閉めるようループ状にロープ（８）（８’）をそれぞれ二方向から設け、その先端を地面（Ａ）に杭（７）、（７’）を介してそれぞれ固定したことにより、害獣が暴れれば、益々、捕獲網（２）がきんちゃく袋状に締まり、逃げ難くなるものである。
【００１９】
また、前記係合フック装置（３）の係止機構を外すワイヤー（９）を、捕獲網（２）内の地面（Ａ）に杭で固定しており、該ワイヤー（９）を、害獣が触れることにより、係合フック装置（３）の係止片（３ａ）が外れ、それぞれの複数本の第一ロープ（４）が一体に外れ、捕獲網（２）が落下し、害獣を絡め取ることができる。
【００２０】
さらに、捕獲網（２）は、堅牢な紐体を編んだものであり、該紐体の素材は、合成樹脂製、ロープ製、あるいは金属製の一、あるいは、これらの複合体を素材として編組され、該捕獲網（２）の網み目の形状が、円形状、多角形状、矩形状から選ばれたものであり、例えば、猪の牙や鹿等の角でも破れることはなく、害獣の脚部等が網の目に挟まり、絡まって動けなくなり、獲物の処理が簡単にできる。また、獲物が死ぬことはないので、天然記念物のカモシカや捕獲禁止のメス鹿等を逃がすことも可能であり、また、箱罠（檻）と異なり、子供が悪戯で入っても、重いドアに挟まれ怪我をすることがない等、害獣を確実に捕獲できる等極めて有益なる効果を奏するものである。
【図面の簡単な説明】
【図１】この発明の一実施例を示す側面図である。
【図２】この発明の一実施例を示す平面図である。
【図３】この発明の一実施例を示す支柱，係合フック装置の要部拡大説明図である。
【図４】この発明の使用状態を示す説明図である。
【符号の説明】
１  支柱
１ａ  本体
１ｂ  脚部
１ｃ  スパイク
Ａ  地面
２  捕獲網
２ａ  チェーン
３  係合フック装置
３ａ  係止片
３ｂ  レバー
３ｃ  ひっかけ具
３ｄ  ドーナツ状の錘
４  第一ロープ
５  フック
６  第二ロープ
７  杭
７’杭
８  ロープ
８’ロープ
９  ワイヤー
【図１】
0003595878.tif 000002
【図２】
0003595878.tif 000003
【図３】
0003595878.tif 000004
【図４】
0003595878.tif 000005